(57)【要約】      （修正有）【課題】使い勝手が良くかつ周囲の人や物と干渉しないように蛍光灯を運搬することができる蛍光灯運搬バッグを提供する。【解決手段】長尺に形成されて内部に複数の蛍光灯１１を収容可能な蛍光灯収容スペース２１が形成された収容部２と、収容部に取り付けられた一対の肩掛けベルト３と、を有し、収容部は、長手方向の一方側に蛍光灯収容スペース２１へ蛍光灯を出し入れするための開口部２２を有し、一対の肩掛けベルトが作業者の肩にかけられると、収容部が長手方向の一方側が他方側よりも上側となる起立姿勢で作業者に背負われるように構成されている。【選択図】図１
0003212368.tif 000002
【実用新案登録請求の範囲】
【請求項１】
長尺に形成されて内部に複数の蛍光灯を収容可能な蛍光灯収容スペースが形成された収容部と、
前記収容部に取り付けられた一対の肩掛けベルトと、を有し、
前記収容部は、長手方向の一方側に前記蛍光灯収容スペースへ前記蛍光灯を出し入れするための開口部を有し、
前記一対の肩掛けベルトが作業者の肩にかけられると、前記収容部が前記長手方向の一方側が他方側よりも上側となる起立姿勢で前記作業者に背負われるように構成されていることを特徴とする蛍光灯運搬バッグ。
【請求項２】
前記起立姿勢の前記収容部を設置面の上に設置した際に、前記収容部が倒れることを防止する倒れ防止部を有することを特徴とする請求項１に記載の蛍光灯運搬バッグ。
【請求項３】
前記倒れ防止部は、前記起立姿勢の前記収容部から側方に突出して前記設置面と当接可能な状態と、前記収容部に沿って配置された状態と、に切り替え可能に構成されていることを特徴とする請求項２に記載の蛍光灯運搬バッグ。
【請求項４】
前記蛍光灯収容スペースは、それぞれ前記蛍光灯を収容可能な複数の蛍光灯収容小スペースに区分けされていることを特徴とする請求項１乃至３のいずれか一項に記載の蛍光灯運搬バッグ。
【請求項５】
前記複数の蛍光灯収容小スペースは、第１蛍光灯を収容可能な第１蛍光灯収容小スペースと、前記第１蛍光灯よりも長さの短い第２蛍光灯を収容可能な第２蛍光灯収容小スペースと、を有し、
前記第１蛍光灯収容小スペースおよび前記第２蛍光灯収容小スペースは、それぞれに収容された前記第１蛍光灯の上端部および前記第２蛍光灯の上端部が前記開口部の高さに位置するように底部が設けられていることを特徴とする請求項４に記載の蛍光灯運搬バッグ。
【請求項６】
前記開口部を開閉可能な蓋部を有し、
前記蓋部は前記収容部に着脱可能に構成されていることを特徴とする請求項１乃至５のいずれか一項に記載の蛍光灯運搬バッグ。
【請求項７】
前記収容部の外側に取り付けられて、物品を収容可能な物品収容部を有することを特徴とする請求項１乃至６のいずれか一項に記載の蛍光灯運搬バッグ。
【請求項８】
前記収容部の外面には、入射した方向に光を反射させる反射部材が取り付けられていることを特徴とする請求項１乃至７のいずれか一項に記載の蛍光灯運搬バッグ。
【考案の詳細な説明】
【技術分野】
【０００１】
本考案は、蛍光灯を運搬する際に蛍光灯を収容する蛍光灯運搬バッグに関する。
【背景技術】
【０００２】
通常、駅やトンネルなどに設置されている蛍光灯は、寿命が来る前に交換されている。交換前や交換後の蛍光灯を運搬する際には、蛍光灯は入荷した際に梱包されていたダンボール箱や、特許文献１に開示されたようなケースに収容されて運搬されている（例えば、特許文献１参照）。
【先行技術文献】
【特許文献】
【０００３】
【特許文献１】実用新案登録第３２０６９６０号公報
【考案の概要】
【考案が解決しようとする課題】
【０００４】
蛍光灯が長尺の棒状（直管形蛍光管）である場合、蛍光灯が収容されるダンボール箱やケースも長尺となる。このため、蛍光灯を収容した長尺のダンボール箱やケースを横臥させた状態で作業者が抱えて運搬すると、ダンボール箱やケースが周囲の人や物と干渉してしまう虞がある。また、蛍光灯の数量や種類が多く、蛍光灯を収容した複数のダンボールやケースを作業者が両手に抱えなければならない場合、作業者の両手がふさがってしまい不便である。
【０００５】
そこで、本考案は、使い勝手が良くかつ周囲の人や物と干渉しないように蛍光灯を運搬することができる蛍光灯運搬バッグを提供することを目的とする。
【課題を解決するための手段】
【０００６】
上記目的を達成するため、本考案に係る蛍光灯運搬バッグは、長尺に形成されて内部に複数の蛍光灯を収容可能な蛍光灯収容スペースが形成された収容部と、前記収容部に取り付けられた一対の肩掛けベルトと、を有し、前記収容部は、長手方向の一方側に前記蛍光灯収容スペースへ前記蛍光灯を出し入れするための開口部を有し、前記一対の肩掛けベルトが作業者の肩にかけられると、前記収容部が前記長手方向の一方側が他方側よりも上側となる起立姿勢で前記作業者に背負われるように構成されていることを特徴とする。
【０００７】
本考案では、作業者が一対の肩掛けベルトを肩にかけて収容部を背負うことができる。これにより、作業者は、従来のように蛍光灯が収容されたダンボールやケースなどを抱える必要がなく、両手が空いた状態で蛍光灯を運搬することができるため、蛍光灯運搬バッグを使い勝手の良いものとすることができる。
また、作業者に背負われた収容部は起立姿勢となるため、収容部が周囲の人や物と干渉することを防止できる。本考案における収容部の起立姿勢とは、長尺の収容部の長手方向の一方側が他方側よりも上側に配置されている状態を示していて、収容部の長手方向が鉛直方向となる姿勢だけでなく、長手方向の一方側が他方側よりも上側に配置された傾斜している姿勢も含むものとする。
【０００８】
また、本考案に係る蛍光灯運搬バッグでは、前記起立姿勢の前記収容部を設置面の上に設置した際に、前記収容部が倒れることを防止する倒れ防止部を有していてもよい。
このような構成とすることにより、収容部が起立姿勢となる蛍光灯運搬バッグを安定した状態で設置面に設置することができる。このため、狭いスペースであっても蛍光灯運搬バッグを設置することができ、設置面に設置された蛍光灯運搬バッグが周囲の人や物と干渉することを抑制することができる。
【０００９】
また、本考案に係る蛍光灯運搬バッグでは、前記倒れ防止部は、前記起立姿勢の前記収容部から側方に突出して前記設置面と当接可能な状態と、前記収容部に沿って配置された状態と、に切り替え可能に構成されていてもよい。
このような構成とすることにより、収容部が起立姿勢となる蛍光灯運搬バッグを設置面に設置する場合には、倒れ防止部を収容部から突出させて設置面と当接させることで、蛍光灯運搬バッグが倒れることを確実に防止することができる。また、倒れ防止部を収容部に沿った状態とすることにより、蛍光灯運搬バッグがコンパクトな形状となるため、蛍光灯運搬バッグの運搬や保管を行いやすい。
【００１０】
また、本考案に係る蛍光灯運搬バッグでは、前記蛍光灯収容スペースは、それぞれ前記蛍光灯を収容可能な複数の蛍光灯収容小スペースに区分けされていてもよい。
このような構成とすることにより、収容部の内部で蛍光灯が動くことを抑制できる。また、蛍光灯を種類別や、使用前と使用済みとに分けて収容することができる。
【００１１】
また、本考案に係る蛍光灯運搬バッグでは、前記複数の蛍光灯収容小スペースは、第１蛍光灯を収容可能な第１蛍光灯収容小スペースと、前記第１蛍光灯よりも長さの短い第２蛍光灯を収容可能な第２蛍光灯収容小スペースと、を有し、前記第１蛍光灯収容小スペースおよび前記第２蛍光灯収容小スペースは、それぞれに収容された前記第１蛍光灯の上端部および前記第２蛍光灯の上端部が前記開口部の高さに位置するように底部が設けられていてもよい。
このような構成とすることにより、第１蛍光灯と第２蛍光灯とを分けて収納することができるとともに、第１蛍光灯も第２蛍光灯も上端部が開口部の高さに配置されて収容部から取り出しやすく、使い勝手が良い。
【００１２】
また、本考案に係る蛍光灯運搬バッグでは、前記開口部を開閉可能な蓋部を有し、前記蓋部は前記収容部に着脱可能に構成されていてもよい。
このような構成とすることにより、蛍光灯の運搬時に、収容部から蛍光灯がとび出てしまうことを防止できる。
また、蓋部を収容部から取り外せることにより、収容部に蛍光灯を出し入れする際に蛍光灯や作業者に蓋部が干渉することを防止することができる。
【００１３】
また、本考案に係る蛍光灯運搬バッグでは、前記収容部の外側に取り付けられて、物品を収容可能な物品収容部を有していてもよい。
このような構成とすることにより、蛍光灯以外の工具などの物品も収容することができる。
【００１４】
また、本考案に係る蛍光灯運搬バッグでは、前記収容部の外面には、光を入射した方向に反射させる反射部材が取り付けられていてもよい。
このような構成とすることにより、蛍光灯の運搬における安全性を向上させることができる。特に、トンネル内など比較的暗い場所において蛍光灯を運搬する際に、安全性を向上させることができる。
【考案の効果】
【００１５】
本考案によれば、使い勝手が良くかつ周囲の人や物と干渉しないように蛍光灯を運搬することができる。
【図面の簡単な説明】
【００１６】
【図１】本考案の実施形態による蛍光灯運搬バッグの一例を示す斜視図である。
【図２】作業者に背負われた蛍光灯運搬バッグを説明する図である。
【考案を実施するための形態】
【００１７】
以下、本考案の実施形態による蛍光灯運搬バッグについて、図１および図２に基づいて説明する。
図１に示すように、本実施形態による蛍光灯運搬バッグ１は、蛍光灯１１を収容可能な蛍光灯収容スペース２１が形成された収容部２と、収容部２に取り付けられた一対の肩掛けベルト３，３と、収容部２に取り付けられたスタンド（倒れ防止部）４と、収容部２の開口部２２を開閉する蓋部５と、収容部２に取り付けられた物品収容部６と、収容部２の外面に貼りつけられた反射部材７と、を有している。
蛍光灯運搬バッグ１で運搬する蛍光灯１１は、長尺の棒状の蛍光灯１１（直管形蛍光管）を想定している。また、本実施形態では、蛍光灯運搬バッグ１は複数の蛍光灯１１を運搬可能に構成されている。複数の蛍光灯１１には、比較的長さの長い第１蛍光灯１１１（例えば消費電力が４０Ｗの蛍光灯）と、比較的長さの短い第２蛍光灯１１２（例えば消費電力が２０Ｗの蛍光灯）と、が含まれている。
【００１８】
収容部２は、長尺の略直方体の箱状に形成されている。蛍光灯運搬バッグ１において、収容部２が延びる長手方向を長さ方向とし、長さ方向に直交するとともに互いに直交する２方向のうちの一方を幅方向とし、他方を奥行き方向とする。収容部２の側面は、長さ方向、幅方向および奥行き方向のいずれかの方向に沿った面となっている。
収容部２は、長さ方向の一方側に開口部２２が形成されている。開口部２２は、収容部２の内部の蛍光灯収容スペース２１と外部とを連通させていて、蛍光灯１１の出し入れ口となっている。
【００１９】
蛍光灯運搬バッグ１は、収容部２が長さ方向の一方側（開口部２２が形成されている側）が上側となり、長さ方向の他方側が下側となる起立姿勢で床面や地面などの設置面１２に設置されたり、運搬されたりするように構成されている。以下では、蛍光灯運搬バッグ１が起立姿勢であるものとして説明する。
なお、本実施形態ににおける収容部２の起立姿勢とは、収容部２の長さ方向が鉛直方向となる姿勢だけでなく、長さ方向の一方側が他方側よりも上側に配置された傾斜している姿勢も含むものとする。
【００２０】
収容部２は、下端部に設けられる底板部２３と、底板部２３の奥行方向の一方側の縁部から上側に延びる前板部２４と、底板部２３の奥行方向の他方側の縁部から上側に延びる後板部２５と、底板部２３の幅方向の一方側の縁部から上側に延びる第１側板部２６と、底板部２３の幅方向他方側の縁部から上側に延びる第２側板部２７と、を有している。前板部２４および後板部２５は、それぞれの幅方向の縁部が第１側板部２６および第２側板部２７の奥行方向の縁部と接続されている。
【００２１】
収容部２の内部には、板面が幅方向を向く６枚の仕切り板２８が幅方向に間隔をあけて配列されている。仕切り板２８は、奥行き方向の一方側の縁部が前板部２４と接続され、奥行き方向の他方側の縁部が後板部２５と接続されている。
蛍光灯収容スペース２１は、６枚の仕切り板２８によって幅方向に配列された７つの蛍光灯収容小スペース２１１に仕切られている。７つの蛍光灯収容小スペース２１１それぞれには、立てられた状態の蛍光灯１１が奥行き方向に６本ずつ配列されて収容される。
【００２２】
７つの蛍光灯収容小スペース２１１のうちの幅方向の一方側の５つは、第１蛍光灯１１１が収容され、他の２つは第２蛍光灯１１２が収容されるように構成されている。第１蛍光灯１１１が収容される５つの蛍光灯収容小スペース２１１をそれぞれ第１蛍光灯収容小スペース２１２とし、第２蛍光灯１１２が収容される２つの蛍光灯収容小スペース２１１をそれぞれ第２蛍光灯収容小スペース２１３とする。本実施形態では、収容部２には、５つの第１蛍光灯収容小スペース２１２それぞれに６本ずつ計３０本の第１蛍光灯１１１が収容可能で、２つの第２蛍光灯収容小スペース２１３それぞれに６本ずつ計１２本の第２蛍光灯１１２が収容可能となっている。
【００２３】
第１蛍光灯収容小スペース２１２は、底部２１２ａが底板部２３の上面となっており、立てられた状態の第１蛍光灯１１１がその下端部が底部２１２ａと当接し、上端部が開口部２２近傍に位置するように収容される。
第２蛍光灯収容小スペース２１３は、底部２１３ａが底板部２３の上面よりも上側に配置され、立てられた状態の第２蛍光灯１１２がその下端部が底部２１３ａと当接し、上端部が開口部２２近傍に位置するように収容される。第２蛍光灯収容小スペース２１３の底部２１３ａは、第１蛍光灯収容小スペース２１２の底部２１２ａよりも上側に配置されている。
【００２４】
一対の肩掛けベルト３，３は、それぞれ可撓性を有する材料で帯状に形成され、それぞれの延在方向の両端部が前板部２４に取り付けられている。一対の肩掛けベルト３，３のうちの一方を第１肩掛けベルト３１、他方を第２肩掛けベルト３２とする。
第１肩掛けベルト３１は、一方側の端部が前板部２４の高さ方向の中央部よりも上側で幅方向の略中央部に第１取付部材３３を介して取り付けられ、他方側の端部が前板部２４の高さ方向の中央部よりも下側で幅方向の中央部よりも幅方向の一方側寄りに第２取付部材３４を介して取り付けられている。第１肩掛けベルト３１は、奥行き方向の一方側から見て、上側から下側に向かって幅方向の一方側に向かう斜め方向に延びている。
【００２５】
第２肩掛けベルト３２は、一方側の端部が前板部２４の高さ方向の中央部よりも上側で幅方向の略中央部に第１取付部材３３を介して取り付けられ、他方側の端部が前板部２４の高さ方向の中央部よりも下側で幅方向の中央部よりも幅方向の他方側寄りに第３取付部材３５を介して取り付けられている。第２肩掛けベルト３２は、奥行き方向の一方側から見て、上側から下側に向かって幅方向の他方側に向かう斜め方向に延びている。
【００２６】
第１肩掛けベルト３１および第２肩掛けベルト３２は、奥行き方向の一方側から見て、逆Ｖ字形を描くように配置されている。
図２に示すように、第１肩掛けベルト３１が作業者１３の左肩にかけられ、第２肩掛けベルト３２が作業者１３の右肩に掛けられると、収容部２が作業者１３に背負われた状態となる。
【００２７】
なお、第１肩掛けベルト３１および第２肩掛けベルト３２は、それぞれの長さを調整可能に構成されていてもよい。
第１肩掛けベルト３１および第２肩掛けベルト３２は、互いに連続する１つのベルトに形成されていて、前方から見て逆Ｖ字形状になるように中間部で折り曲げられて前板部２４に取り付けられていて、中間部よりも一方の端部側が第１肩掛けベルト３１となり、他方の端部側が第２肩掛けベルト３２となっていてもよい。
第１肩掛けベルト３１および第２肩掛けベルト３２は取付部材に対して着脱可能に構成されていてもよい。
【００２８】
スタンド４は、それぞれ直線状に延びる棒状に形成された一対の棒状部４１，４１と、収容部２の後板部２５に取り付けられて一対の棒状部４１，４１をそれぞれ支持する支持部４２と、後板部２５に取り付けられて図２に示すような一対の棒状部４１，４１を後板部２５に沿った状態に係止可能な係止部４３と、を有している。
支持部４２は、後板部２５の高さ方向および幅方向それぞれの中間部に配置されている。
一対の棒状部４１，４１は、互いに幅方向に離間していて、それぞれ一方の端部が支持部４２に支持され、他方の端部が一方の端部よりも下側に配置されている。一対の棒状部４１，４１は、一方の端部を軸として他方の端部側が後板部２５と近接・離間する方向に回動可能に構成されている。
【００２９】
収容部２の下板部が設置面１２の上に設置された状態で、スタンド４の一対の棒状部４１，４１それぞれの下端部（他方の端部）が後板部２５と離間して設置面１２の上に設置されると、蛍光灯運搬バッグ１は、一対の棒状部４１，４１それぞれの下端部および収容部２の下端部の３点が設置面１２と当接しているため、蛍光灯運搬バッグ１が安定した姿勢となる。
【００３０】
係止部４３は、後板部２５の下部側に設けられていて、一対の棒状部４１，４１それぞれの下端部近傍を着脱可能に構成されている。一対の棒状部４１，４１は、それぞれ後板部２５に沿った姿勢で係止部４３に係止される。
【００３１】
蓋部５は、開口部２２を開閉可能な大きさの板状に形成された第１板部５１と、第１板部５１と折り曲げ可能に連続する第２板部５２および第３板部５３と、を有している。第２板部５２および第３板部５３は第１板部５１を両側から挟むように配置されている。
第２板部５２は、フック５４によって前板部２４に着脱可能に取り付けられている、第３板部５３は、面ファスナー５５によって、後板部２５に着脱可能に構成されている。蓋部５は、第２板部５２が前板部２４に取り付けられた状態で、第１板部５１と第２板部５２との境界部分を折り曲げることで、第１板部５１で開口部２２を開閉することができる。第１板部５１で開口部２２を閉鎖した状態で、第３板部５３を後板部２５に固定することによって、蓋部５が開口部２２を閉鎖した状態で収容部２に固定されるように構成されている。
【００３２】
物品収容部６は、収容部２の第２側板部２７の上部側および下部側それぞれに取り付けられている。物品収容部６は、上側に開口する本体部６１と、本体部６１の開口を開閉可能な蓋部６２と、を有している。物品収容部６は、工具などを収容可能に構成されている。
反射部材７は、光を入射した方向に反射させる反射テープ、反射シール、反射板などで、収容部２の後板部２５、第１側板部２６および第２側板部２７の外側の面に貼りつけられている。
【００３３】
次に、上述した本考案の実施形態による蛍光灯運搬バッグの作用・効果について図面を用いて説明する。
上述した本考案の実施形態による蛍光灯運搬バッグ１では、作業者１３が一対の肩掛けベルト３，３を肩にかけて収容部２を背負うことができる。これにより、作業者１３は、従来のように蛍光灯１１が収容されたダンボールやケースなどを抱える必要がなく、両手が空いた状態で蛍光灯１１を運搬することができるため、蛍光灯運搬バッグ１を使い勝手の良いものとすることができる。
また、作業者１３に背負われた収容部２は起立姿勢となるため、収容部２が周囲の人や物と干渉することを防止できる。
【００３４】
また、起立姿勢の収容部２を設置面１２の上に設置した際に、収容部２が倒れることを防止するスタンド４を有していることにより、収容部２が起立姿勢となる蛍光灯運搬バッグ１を安定した状態で設置面１２に設置することができる。このため、狭いスペースであっても蛍光灯運搬バッグ１を設置することができ、設置面１２に設置された蛍光灯運搬バッグ１が周囲の人や物と干渉することを抑制することができる。
【００３５】
また、スタンド４は、起立姿勢の収容部２から側方に突出して設置面１２と当接可能な状態と、収容部２に沿って配置された状態と、に切り替え可能に構成されている。これにより、収容部２が起立姿勢となる蛍光灯運搬バッグ１を設置面１２に設置する場合には、スタンド４を収容部２から突出させて設置面１２と当接させることで、蛍光灯運搬バッグ１が倒れることを確実に防止することができる。また、スタンド４を収容部２に沿った状態とすることにより、蛍光灯運搬バッグ１がコンパクトな形状となるため、蛍光灯運搬バッグ１の運搬や保管を行いやすい。
【００３６】
また、蛍光灯収容スペース２１は、それぞれ蛍光灯１１を収容可能な複数の蛍光灯収容小スペース２１１に区分けされていることにより、収容部２の内部で蛍光灯１１が動くことを抑制できる。また、蛍光灯１１を種類別や、使用前と使用済みとに分けて収容することができる。
【００３７】
また、蛍光灯収容スペース２１は、第１蛍光灯１１１を収容可能な第１蛍光灯収容小スペース２１２と、第１蛍光灯１１１よりも長さの短い第２蛍光灯１１２を収容可能な第２蛍光灯収容小スペース２１３と、を有することにより、第１蛍光灯１１１と第２蛍光灯１１２とを分けて収納することができるとともに、第１蛍光灯１１１も第２蛍光灯１１２も収容部２から取り出しやすく、使い勝手が良い。
【００３８】
また、蛍光灯運搬バッグ１には、開口部２２を開閉可能な蓋部５が設けられ、蓋部５は収容部２に着脱可能に構成されている。これにより、蛍光灯１１の運搬時に、収容部２から蛍光灯１１がとび出てしまうことを防止できる。
また、蓋部５を収容部２から取り外せることにより、収容部２に蛍光灯１１を出し入れする際に蛍光灯１１や作業者１３に蓋部５が干渉することを防止することができる。
【００３９】
また、収容部２の外側に物品収容部６が設けられていて、物品収容部６には蛍光灯１１以外の工具などの物品も収容することができるため、工具などを手に持つ必要がなく蛍光灯１１を運搬しやすい。
【００４０】
また、収容部２の外面には、光を入射した方向に反射させる反射部材７が取り付けられていることにより、蛍光灯１１の運搬における安全性を向上させることができる。特に、トンネル内など比較的暗い場所において蛍光灯１１を運搬する際に、安全性を向上させることができる。
【００４１】
以上、本考案による蛍光灯運搬バッグの実施形態について説明したが、本考案は上記の実施形態に限定されるものではなく、その趣旨を逸脱しない範囲で適宜変更可能である。
例えば、上記の実施形態では、起立姿勢の収容部２を設置面１２の上に設置した際に、収容部２が倒れることを防止するスタンド４を有しているが、このようなスタンド４が設けられていなくてもよい。また、収容部２が倒れることを防止するスタンド４の形態は、上記以外であってもよい。
【００４２】
また、上記の実施形態では、蛍光灯収容スペース２１は、それぞれ蛍光灯１１を収容可能な複数の蛍光灯収容小スペース２１１に区分けされているが、区分けされていなくてもよい。また、蛍光灯収容スペース２１が複数の蛍光灯収容小スペース２１１に区分けされている場合は、複数の蛍光灯収容小スペース２１１の配列や形態、それぞれに収容可能な蛍光灯１１の数や種類は適宜設定されてよい。
【００４３】
また、上記の実施形態では、収容部２の開口部２２を開閉可能な蓋部５が設けられているが、設けられていなくてもよい。また、蓋部５は、収容部２から取り外せないように構成されていてもよい。蓋部５の形態は上記以外であってもよい。
また、上記の実施形態では、収容部２の外側に物品を収容可能な物品収容部６が設けられているが、このような物品収容部６が設けられていなくてもよい。また、物品収容部６が設けられる位置や数、物品収容部６の形態は適宜設定されてよい。
また、上記の実施形態では、収容部２の外面には、光を入射した方向に反射させる反射部材７が取り付けられているが、このような反射部材７が設けられていなくてもよい。
【符号の説明】
【００４４】
１  蛍光灯運搬バッグ
２  収容部
３  肩掛けベルト
４  スタンド（倒れ防止部）
５  蓋部
６  物品収容部
７  反射部材
１１  蛍光灯
１２  設置面
１３  作業者
２１  蛍光灯収容スペース
２２  開口部
１１１  第１蛍光灯
１１２  第２蛍光灯
２１１  蛍光灯収容小スペース
２１２  第１蛍光灯収容小スペース
２１２ａ  底部
２１３  第２蛍光灯収容小スペース
２１３ａ  底部
【図１】
0003212368.tif 000003
【図２】
0003212368.tif 000004